(57)【特許請求の範囲】
【請求項１】
光の３スペクトルを分離しかつ合成するシステムであって、
第１、第２、第３、及び第４の偏光ビームスプリッタであって、前記各偏光ビームスプリッタは第１の偏光方向を有する光が通過できるように構成されており、前記各偏光ビームスプリッタは第２の偏光方向を有する光を反射するように構成されており、かつ、前記各偏光ビームスプリッタは他の２つの前記偏光ビームスプリッタに近接する２つの内側の面を有し、かつ、他の前記偏光ビームスプリッタに近接しない２つの外側の面を有するもの、及び、
前記第１の偏光ビームスプリッタの外側の面に近接して配置された第１のリターダスタック、
前記第１の偏光ビームスプリッタの内側の面に近接して配置された第２のリターダスタック、
前記２つの偏光ビームスプリッタの内側の面の間に配置された第３のリターダスタック、及び、
前記第４の偏光ビームスプリッタの外側の面に近接して配置された第４のリターダスタック
を有するシステム。
【請求項２】
前記第１と第４のリターダスタックが実質的に類似の特性を有する請求項１に記載のシステム。
【請求項３】
前記第２と第３のリターダスタックが実質的に類似の特性を有する請求項１に記載のシステム。
【請求項４】
反射光の偏光方向をある空間パタンで選択的に回転するように構成されている第１、第２、及び第３の反射変調パネルをさらに有する請求項１に記載のシステム。
【請求項５】
前記第１の反射変調パネルが前記偏光ビームスプリッタのうち１つの外側の面に近接して配置された請求項４に記載のシステム。
【請求項６】
前記第２の反射変調パネルが前記偏光ビームスプリッタのうち１つの外側の面に近接して配置された請求項５に記載のシステム。
【請求項７】
前記偏光ビームスプリッタのうち１つの外側の面に近接して前記第３の反射変調パネルが配置され、前記第１及び第２の反射変調パネルのうち１つを前記偏光ビームスプリッタのうち１つの他の外側の面に近接して有する請求項６に記載のシステム。
【請求項８】
前記第１、第２、及び第３の反射変調パネルにそれぞれ対になる第１、第２、及び第３の光ダブラーを有する請求項４に記載のシステム。
【請求項９】
前記第１のリターダスタックに近接して配置された入力光を偏光する入力偏光子をさらに有する請求項１に記載のシステム。
【請求項１０】
前記第１のリターダスタックが偏光された入力光を受けて、第１のスペクトルを第１の偏光方向で、かつ、第２のスペクトルを第２の偏光方向で出力するように構成されている請求項１に記載のシステム。
【請求項１１】
前記第１の偏光ビームスプリッタが前記第１のリターダスタックから第１の方向へ出力された光を受けるように配置され、かつ、前記第１の偏光ビームスプリッタが、前記第１の偏光方向を有する第１のスペクトルの光を第１の方向のままで通過させ、前記第２の偏光方向を有する第２のスペクトルの光を前記第３の偏光ビームスプリッタに向かう第２の方向へ反射する請求項１０に記載のシステム。
【請求項１２】
前記第２の偏光ビームスプリッタが、前記第１の偏光ビームスプリッタを第１の方向で通過した第１のスペクトルの光を受けるように配置され、かつ前記第２の偏光ビームスプリッタは、前記第２の偏光方向を有しかつ第１の方向とは逆の第３の方向の光を、前記第４の偏光ビームスプリッタに向かう第２の方向に反射するように構成された請求項１１に記載のシステム。
【請求項１３】
前記第２の偏光ビームスプリッタの外側の面に配置された反射変調パネルをさらに有し、第１の反射変調パネルは第１の方向に通過した入射光を反射することで第３の方向へ出ていくように、かつ、反射光の偏光方向をある空間パタンで選択的に変調するように構成されている請求項１２に記載のシステム。
【請求項１４】
前記第２のリターダスタックが前記第１の偏光ビームスプリッタで反射された前記第２の偏光方向を有する前記第２のスペクトルの光を受けるよう配置され、前記第２のリターダスタックは、第３のスペクトルの光を偏光方向を変えることなく通過させるように構成されており、かつ、前記第２のリターダスタックは、第４のスペクトルの光を前記第１の偏光方向に戻すように偏光方向を変えるように構成されている請求項１２に記載のシステム。
【請求項１５】
前記第３の偏光ビームスプリッタが第２の方向で通過する前記第２の偏光方向を有する光を第３の方向にむけて反射させるように構成されており、前記第３の偏光ビームスプリッタは、第２の方向とは反対側の第４の方向からの光を前記第４の偏光ビームスプリッタに向かう第１の方向に進むよう反射するように構成されており、かつ、前記第３の偏光ビームスプリッタは、前記第１の偏光方向を有する光を偏光させずに通過させるように構成されている請求項１４に記載のシステム。
【請求項１６】
前記第１の偏光ビームスプリッタと逆側の面で前記第３の偏光ビームスプリッタの外側の面に配置された第１の反射変調パネル、及び、前記第３の偏光ビームスプリッタの外側の面で前記第４の偏光ビームスプリッタと逆側の面に配置された第２の反射変調パネルをさらに有し、前記第１の反射変調パネルは、第２の方向から通過する入射光を反射して前記第１の反射変調パネルから第４の方向に出てゆくように構成されておりかつある空間パタンで選択的に反射光の偏光方向を変調させ、かつ、前記第２の反射変調パネルは第３の方向から通過する入射光を反射して前記第２の反射変調パネルから第１の方向に出てゆくように構成されておりかつある空間パタンで選択的に反射光の偏光方向を変調させるように構成されている請求項１５に記載のシステム。
【請求項１７】
前記第３のリターダスタックが前記第３の偏光ビームスプリッタを通過した光を受け前記第４の偏光ビームスプリッタに向かうよう配置され、前記第３のリターダスタックは、前記第１の偏光方向を有する前記第３のスペクトルの光を偏光方向を変えずに通過させるように構成されており、かつ、前記第３のリターダスタックは、前記第４のスペクトルの光の偏光方向を前記第２の偏光方向から前記第１の偏光方向へ変えるように構成されている請求項１５に記載のシステム。
【請求項１８】
前記第４の偏光ビームスプリッタが前記第３及び第４のスペクトルの光を偏光させずに通過させるように構成されており、かつ、前記第４の偏光ビームスプリッタは、第２の方向から通過する、前記第２の偏光方向を有する前記第１のスペクトルの光を反射するように構成されている請求項１７に記載のシステム。
【請求項１９】
前記第４のリターダスタックは、前記第４の偏光ビームスプリッタの外側の面に近接して配置され、前記第４の偏光ビームスプリッタを通過した前記第１、第３、及び第４のスペクトルの光を受けるよう配置された、前記第４のリターダスタックは、前記第３及び第４のスペクトルの光の偏光方向を変えずに通過させるように構成されており、かつ、前記第４のリターダスタックは、前記第１のスペクトルの光の偏光方向を前記第２の偏光方向から前記第１の偏光方向へ変えるように構成されている請求項２に記載のシステム。
【請求項２０】
前記第１、第２、及び第３のリターダスタックの少なくとも１つが選択された光の波長を反射又は阻止する請求項１に記載のシステム。
【請求項２１】
反射又は阻止された光の波長が実質的に前記第１と第３のスペクトルの光の間に位置する請求項２０に記載のシステム。
【請求項２２】
反射又は阻止された光の波長が実質的に前記第３と第４のスペクトルの光の間に位置する請求項２０に記載のシステム。
【請求項２３】
カラー投影システムであって、
４角形に配置された第１、第２、第３、及び第４の偏光ビームスプリッタであって、前記各偏光ビームスプリッタは第１の偏光方向を有する光を通過させるように構成されており、前記各偏光ビームスプリッタは第２の偏光方向を有する光を反射するように構成されており、かつ、前記各偏光ビームスプリッタは他の２つの前記偏光ビームスプリッタに近接する２つの内側の面及び他の前記偏光ビームスプリッタに近接しない２つの外側の面を有し、
前記第１の偏光ビームスプリッタの外側の面に配置された第１のリターダスタック、
前記第１の偏光ビームスプリッタの内側の面に近接して配置された第２のリターダスタック、
２つの前記偏光ビームスプリッタの内側の面の間に配置された第３のリターダスタック、
前記第１のリターダスタックに近接して配置された光源、
前記第４の偏光ビームスプリッタに近接して配置された投影光学系、及び、
前記第４の偏光ビームスプリッタの外側の面に近接して配置された第４のリターダスタック
を有するシステム。
【請求項２４】
反射光の偏光方向をある空間パタンで選択的に回転するように構成されている第１、第２、及び第３の反射変調パネルをさらに有する請求項２３に記載のシステム。
【請求項２５】
前記投影光学系と、前記第１、第２、及び第３の反射変調パネルのそれぞれとが実質的に等距離になるように構成されている請求項２４に記載のシステム。
【請求項２６】
前記第１の反射変調パネルが１つの前記偏光ビームスプリッタの外側の面に近接して配置され、前記第２及び第３の反射変調パネルがもう１つの前記偏光ビームスプリッタの外側の面に近接して配置された請求項２４に記載のシステム。
【請求項２７】
前記第１、第２、及び第３の反射変調パネルとそれぞれ対になる第１、第２、及び第３の光ダブラーをさらに有する請求項２４に記載のシステム。
【請求項２８】
光の３スペクトルを分離しかつ合成するシステムであって、
偏光ビームスプリッタ、
前記偏光ビームスプリッタの第１の面に近接して配置された入力リターダスタック、
前記偏光ビームスプリッタの第２の面に近接して配置されたスペーサー、及び
前記偏光ビームスプリッタの第３の面に近接して配置された２色性ビームスプリッタ、
反射光の偏光方向をある空間パタンで選択的に回転するように構成されている第１、第２、及び第３の反射変調パネル、及び、
第１及び第２の光ダブラー
を有し、
前記第１の反射変調パネルが前記スペーサーの前記偏光ビームスプリッタと反対側の面に近接して配置され、前記第２の反射変調パネルが前記２色性ビームスプリッタの第１の外側の面に近接して配置され、かつ、前記第３の反射変調パネルが前記２色性ビームスプリッタの第２の外側の面に近接して配置され、
前記第１の光ダブラーは前記第１の反射変調パネルで変調された光に作用し、前記第２の光ダブラーは前記第２及び第３の反射変調パネルで変調された光に作用するシステム。
【請求項２９】
前記偏光ビームスプリッタの第４の面に近接して配置された出力リターダスタックをさらに有する請求項２８に記載のシステム。
【請求項３０】
前記入力及び出力リターダスタックが実質的に類似の特性を有する請求項２９に記載のシステム。
【請求項３１】
前記第１、第２、及び第３の反射変調パネルとそれぞれ対になる第１、第２、及び第３の光ダブラーをさらに有する請求項２８に記載のシステム。
【請求項３２】
前記第１の光ダブラーが前記偏光ビームスプリッタと前記スペーサーの間に配置された請求項３１に記載のシステム。
【請求項３３】
第１の光ダブラーが前記スペーサーと前記第１の反射変調パネルの間に配置された請求項３１に記載のシステム。
【請求項３４】
第２の光ダブラーが前記偏光ビームスプリッタと前記２色性ビームスプリッタの間に配置された請求項３１に記載のシステム。
【請求項３５】
前記入力リターダスタックに近接して配置された、入力光を偏光する入力偏光子をさらに有する請求項２８に記載のシステム。
【請求項３６】
前記入力リターダスタックに近接して配置された、入力光を偏光する偏光変換システムをさらに有する請求項２８に記載のシステム。
【請求項３７】
前記偏光変換システムと前記入力リターダスタックの間に配置されたクリーンアップ偏光子をさらに有する請求項２８に記載のシステム。
【請求項３８】
前記第１のリターダスタックが、第１の方向から通過してくる偏光した入力光を受け、第１のスペクトルの光を第１の偏光方向で、第２のスペクトルの光を第２の偏光方向で出力するように構成されている請求項２８に記載のシステム。
【請求項３９】
前記偏光ビームスプリッタが、前記入力リターダスタックから受けた前記第１の偏光方向を有する光をスペーサーに導くように構成されており、前記偏光ビームスプリッタは、前記入力リターダスタックから受けた第２の偏光方向を有するいずれの光も前記２色性ビームスプリッタへ導くように構成されており、前記偏光ビームスプリッタは、前記スペーサーから受けた前記第２の偏光方向を有するいずれの光も前記偏光ビームスプリッタの第４の面へ導くように構成されており、かつ、前記偏光ビームスプリッタは、前記２色性ビームスプリッタから受けた前記第１の偏光方向を有するいずれの光も偏光ビームスプリッタの第４の面へ導くように構成されている請求項３８に記載のシステム。
【請求項４０】
前記２色性ビームスプリッタは、前記偏光ビームスプリッタからの前記第２の偏光方向を有する前記第２のスペクトルの光を受け、受けた光の第３のスペクトルの光を前記２色性ビームスプリッタの第１の外側の面に導き、かつ、受けた光の第４のスペクトルの光を前記２色性ビームスプリッタの第２の外側の面に導くように構成されており、前記２色性ビームスプリッタは、第前記１の外側の面から戻ってきた前記第３のスペクトルのいずれの光も前記偏光ビームスプリッタに向けて導くように構成されており、かつ、前記２色性ビームスプリッタは、第２の外側の面から戻ってきた前記第４のスペクトルのいずれの光も偏光ビームスプリッタに向けて導くように構成されている請求項３９に記載のシステム。
【請求項４１】
前記２色性ビームスプリッタの第１の外側の面に近接して配置された第１の反射変調パネルと、前記２色性ビームスプリッタの第２の外側の面に近接して配置された第２の反射変調パネルをさらに有し、前記第１の反射変調パネルは、前記第３のスペクトルの光を反射しかつ選択的に変調するように構成されており、かつ、前記第２の反射変調パネルは、前記第４のスペクトルの光を反射しかつ選択的に変調するように構成されている請求項４０に記載のシステム。
【請求項４２】
前記偏光ビームスプリッタと反対側の前記スペーサーの外側の面に近接して配置された第３の反射変調パネルをさらに有し、前記第３の反射変調パネルは、第１のスペクトルの光を反射しかつ選択的に変調するように構成されている請求項４１に記載のシステム。
【請求項４３】
カラー投影システムであって、
偏光ビームスプリッタ、
前記偏光ビームスプリッタの第１の面に近接して配置された入力リターダスタック、
前記第１のリターダスタックに近接して配置された光源、
前記偏光ビームスプリッタの第２の面に近接して配置されたスペーサー、
前記偏光ビームスプリッタの第２の面に近接して配置された２色性ビームスプリッタ、
前記偏光ビームスプリッタの第３の面に近接して配置された投影光学系、
反射光の偏光方向をある空間パタンで選択的に回転するように構成されている第１、第２、及び第３の反射変調パネル、及び、
第１および第２のダブラー
を有し、
前記第１の反射変調パネルが前記スペーサーの前記偏光ビームスプリッタと反対側の面に近接して配置され、前記第２の反射変調パネルが前記２色性ビームスプリッタの第１の面に近接して配置され、前記第３の反射変調パネルが前記２色性ビームスプリッタの第２の面に近接して配置され、
前記第１の光ダブラーは前記第１の反射偏光パネルで変調された光に作用し、かつ、前記第２の光ダブラーは、前記第２及び第３の反射偏光パネルで変調された光に作用するシステム。
【請求項４４】
前記偏光ビームスプリッタの第４の面に近接して配置された出力リターダスタックをさらに有する請求項４３に記載のシステム。
【請求項４５】
前記出力リターダスタックが、第１、第３、及び第４のスペクトルの光の偏光方向を同じにするように構成されている請求項４４に記載のシステム。
【請求項４６】
入力光を複数のスペクトルに分離するシステムであって、
第１、第２、第３、及び第４の偏光ビームスプリッタであって、前記各偏光ビームスプリッタは第１の偏光方向を有する光を通過させるように構成されており、前記各偏光ビームスプリッタは第２の偏光方向を有する光を反射するように構成されているもの、及び
第１、第２、第３及び第４のリターダスタックであって、前記第１、第２、第３、及び第４の偏光ビームスプリッタ及び前記第１、第２、第３及び第４のリターダスタックを配置し、かつ光学的に組み合わせることで前記入力光を前記複数のスペクトルに分離するようにしたもの
を有するシステム。
【請求項４７】
複数の入力スペクトルを合成するシステムであって、
第１、第２、第３、及び第４の偏光ビームスプリッタであって、前記各偏光ビームスプリッタは第１の偏光方向を有する光をそのまま通過させるように構成されており、かつ、前記各偏光ビームスプリッタは第２の偏光方向を有する光を反射するように構成されているもの、及び
第１、第２、第３及び第４のリターダスタックであって、前記第１、第２、第３、及び第４の偏光ビームスプリッタ及び前記第１、第２、第３及び第４のリターダスタックを配置し、かつ光学的に組み合わせることで複数の入力スペクトルを合成するようにしたもの
を有するシステム。
【請求項４８】
光の３スペクトルを分離しかつ合成するシステムであって、
第１、第２、第３、及び第４の偏光ビームスプリッタであって、前記各偏光ビームスプリッタは第１の偏光方向を有する光が通過できるように構成されており、前記各偏光ビームスプリッタは第２の偏光方向を有する光を反射するように構成されており、かつ、前記各偏光ビームスプリッタは他の２つの前記偏光ビームスプリッタに近接する２つの内側の面を有し、かつ、他の前記偏光ビームスプリッタに近接しない２つの外側の面を有するもの、及び、
前記第１の偏光ビームスプリッタの外側の面に近接して配置された第１のリターダスタック、
前記第１の偏光ビームスプリッタの内側の面に近接して配置された第２のリターダスタック、
前記２つの偏光ビームスプリッタの内側の面の間に配置された第３のリターダスタック、
反射光の偏光方向をある空間パタンで選択的に回転するように構成されている第１、第２、及び第３の反射変調パネル、及び、
前記第１、第２、及び第３の反射変調パネルにそれぞれ対になる第１、第２、及び第３の光ダブラー
を有するシステム。
【請求項４９】
カラー投影システムであって、
４角形に配置された第１、第２、第３、及び第４の偏光ビームスプリッタであって、前記各偏光ビームスプリッタは第１の偏光方向を有する光を通過させるように構成されており、前記各偏光ビームスプリッタは第２の偏光方向を有する光を反射するように構成されており、かつ、前記各偏光ビームスプリッタは他の２つの前記偏光ビームスプリッタに近接する２つの内側の面及び他の前記偏光ビームスプリッタに近接しない２つの外側の面を有し、
前記第１の偏光ビームスプリッタの外側の面に配置された第１のリターダスタック、
前記第１の偏光ビームスプリッタの内側の面に近接して配置された第２のリターダスタック、
２つの前記偏光ビームスプリッタの内側の面の間に配置された第３のリターダスタック、
前記第１のリターダスタックに近接して配置された光源、
前記第４の偏光ビームスプリッタに近接して配置された投影光学系、
反射光の偏光方向をある空間パタンで選択的に回転するように構成されている第１、第２、及び第３の反射変調パネル、及び、
前記第１、第２、及び第３の反射変調パネルとそれぞれ対になる第１、第２、及び第３の光ダブラー
を有するシステム。
【請求項５０】
カラー投影システムであって、
偏光ビームスプリッタ、
前記偏光ビームスプリッタの第１の面に近接して配置された入力リターダスタック、
前記第１のリターダスタックに近接して配置された光源、
前記偏光ビームスプリッタの第２の面に近接して配置されたスペーサー、
前記偏光ビームスプリッタの第２の面に近接して配置された２色性ビームスプリッタ、
前記偏光ビームスプリッタの第３の面に近接して配置された投影光学系、
反射光の偏光方向をある空間パタンで選択的に回転するように構成されている第１、第２、及び第３の反射変調パネル、及び、
前記第１及び第２の光ダブラー
を有し、
前記第１の反射変調パネルが前記スペーサーの前記偏光ビームスプリッタと反対側の面に近接して配置され、前記第２の反射変調パネルが前記２色性ビームスプリッタの第１の面に近接して配置され、前記第３の反射変調パネルが前記２色性ビームスプリッタの第２の面に近接して配置され、
前記第１の光ダブラーは前記第１の反射偏光パネルで変調された光に作用し、かつ、前記第２の光ダブラーは、前記第２及び第３の反射偏光パネルで変調された光に作用するシステム。
【発明の詳細な説明】
【０００１】
【発明の属する技術分野】
本発明は、カラー画像システム及び方法に関する。特に本発明は、異なる光を２又はそれ以上のスペクトルに分離し、分離したスペクトルを変調し、変調したスペクトルを再合成してカラー画像を生成するシステム及び方法に関する。
【０００２】
【従来の技術】
従来技術のカラー画像プロジェクタシステムのうちには、入力光を３原色に分離し、各色を別々に変調し、変調したカラー画像を再合成することで、合成した変調カラー画像を生成するものがある。従来技術のシステムは、典型的には、複数の２色性ビームスプリッタを用いて入力された白色光を多色に分離する。通常、第１の２色性ビームスプリッタが白色光を第１の原色とその補色とに分離する。補色の光はその後さらに第２の２色性ビームスプリッタで第２と第３の原色に分離される。ひとたび白色光が３原色のビームに分離されると、光ビームはそれぞれに変調される。補助の２色性素子がその後変調されたビームを再合成するために用いられる。
【０００３】
これらの従来技術のシステムで用いられた２色性ビームスプリッタは、典型的には、透明な基板の上に積層するか、透明な２層ではさんだ２色性材料の薄膜を用いる。残念ながら、２色性薄膜材料の性能は、軸外しの面では劣る。よって、２色性ビームスプリッタを用いたシステムの性能も、通常、軸外しの面では劣る。
【０００４】
従来技術のシステムで用いられた２色性薄膜は、波長のみに基づいて光に作用するようにつくられている。２色性素子を通過する光の偏光方向には影響されず、また、２色性素子も光の偏光方向を変化させない。しかし、実際には、光の偏光方向は、２色性薄膜が光にどう作用するかに影響を与える。
【０００５】
従来技術で液晶変調システムを利用している場合、光は変調システムが機能できるよう特定の配向へ偏光していてもよい。この偏光配向は、２色性薄膜がどのように色分離機能を実行するかに影響を与える。加えて、液晶変調システムが反射パネルであった場合、各色の光は、２色性薄膜を１回目は第１の偏光配向で通過し、２回目には異なる偏光配向で通過する。偏光配向が変わるので、２色性薄膜は、光にそれぞれの通過の際に異なった作用をする。これら全ての効果が相まって、従来技術のシステムの性能を低下させている。
【０００６】
加えて、彩度を向上させるために、多くの従来技術のシステムにおいて光を３原色に分離するために２色性ビームスプリッタを利用すると共に、ノッチフィルタ及び帯域フィルタをも３原色の中間の波長を有する光を除去するために利用している。例えば、ノッチフィルタは、しばしばシアン及び黄色の「淡い」色を除去するために用いられる。淡い色の光を除去すると、生成されるカラー画像の明るさが低下する。
【０００７】
【発明が解決しようとする課題】
本発明は、光を異なるスペクトルに分離する偏光ビームスプリッタを１又はそれ以上利用するシステム及び方法を提供する方針である。
【０００８】
【課題を解決するための手段】
本発明実施例のシステムにおいては、入力光が異なったスペクトルは異なる偏光方向を有するようになるよう、少なくとも１つのリターダスタックが異なるスペクトルの光は異なる偏光方向を有するように入力光を調整するために使用されている。１又はそれ以上の偏光ビームスプリッタがその後各々の偏光方向に基づき異なるスペクトルを分離するために使用される。分離された各色のスペクトルは、ついで各々の変調システムで変調され、変調されたスペクトルは、統合された変調カラー画像を生成するために再合成される。
【０００９】
本発明の好適な実施形態においては、又、偏光ビームスプリッタは、それぞれに変調された各色のスペクトルの再合成するためにも用いられる。また、好適な実施形態では、異なるスペクトルの偏光方向を選択的に変調する反射液晶変調パネルを利用してもよい。また、このような変調装置によって伝達される偏光方向の変化を、システム内での光の進行方向を制御するために用いてもよい。
【００１０】
入力光を異なるスペクトルに分離し、スペクトルをそれぞれに変調し、その後各スペクトルを合成するシステムは、再合成された画像が適切に再統合されるように操作しなければならない。投影レンズが画像を投影するために用いられる場合、各色の変調機能を行う変調システムは、各々の分離したカラー画像の倍率が同じになっているよう、みな投影レンズから実質的に等距離になるように配置せねばならない。これが実現しないと、画像がぼけたりゆがんだりする。本発明の実施形態は、投影レンズと各変調システムとの有効距離が等しくなるよう配置されたビームを分割し、再合成する部品を有する。
【００１１】
液晶反射変調パネルを利用する本発明実施例のシステムにおいては、当書類で後述する光ダブラーをも利用してもよい。また、強誘電液晶変調システムは、結果的に逆画像にするＤＣ平衡を必要とするが、光ダブラーでその逆画像を正常な画像に変換することができる。よって、全ての画像データのフレームをシステムから出力することができ、明るさが最大化する。
【００１２】
本発明実施例のシステムは、又、あらゆる異なった変調を受けたスペクトルを同じ偏光方向へ向ける出力リターダスタックを利用する。投影レンズが統合された変調カラー画像を投影するために用いられる場合には、偏光方向がそろっていることで光学システムの効率が向上しうる。
【００１３】
本発明実施例のシステムは、又、２色性ビームスプリッタと偏光ビームスプリッタを共に含んでもよい。この型の実施形態では、リターダスタック及び偏光ビームスプリッタを、入力光を２つのスペクトルに分離するために使用してもよく、２色性ビームスプリッタが１方のスペクトルをさらに２つの付加的なスペクトルに分離するために用いてもよい。結果として得られる３つのどのスペクトルも、別々に反射変調システムで変調される。その後変調された各スペクトルを、その後同じ２色性ビームスプリッタ及び偏光ビームスプリッタを用いて再合成してもよい。
【００１４】
偏光ビームスプリッタは、上述の２色性薄膜と同様の軸外しの課題は有しないため、本発明実施例のシステムは、はるかに優れた軸外し性能を示す。また、本発明実施例のシステムは、光を異なったスペクトルに分離するために２色性薄膜だけに頼るわけではないので、反射液晶変調システムの使用は、システムの性能に否定的に影響することはない。
【００１５】
特定の偏光方向を有するように光を調整するリターダスタックは、また、原色の間の「淡い」波長の光を阻止できるか反射できるようになっている。これで、分離ノッチフィルタが必要なくなり、かつ全体の効率とシステムの明るさを向上するようにできる。
【００１６】
本発明のさらなる利点、目的、及び特徴が、一部は以下で述べられ、かつ、一部は当業者には以下の説明から明らかであるか又は発明の実態から知ることができる。本発明の目的及び利点は、以下の請求項に示されるもので実現し達成することができる。
【００１７】
【発明の実施の形態】
図中において、矢印線は、光がシステム内を伝播する方向を示す。矢印線には、光の色及び偏光方向が付されている。大文字のＲは赤色光を、大文字のＧは緑色光を、大文字のＢは青色光を示す。
【００１８】
説明のために、２つの異なる偏光方向を以下に定義する。第１の偏光を「Ｐ偏光」、第２の偏光を「Ｓ偏光」とする。光線の色を示す文字の右上に付けた記号の平行線２本がＰ偏光の状態を示す。記号の丸がＳ偏光の状態を示す。
【００１９】
図１は、本発明の第１の実施形態で、４つのリターダスタックと４つの偏光ビームスプリッタを利用したものを示す。この実施形態では、光源１００からの白色光１１０をコリメータレンズ１１２により平行光線にする。次に、光線は偏光子１１４により偏光され、その結果Ｓ偏光を有する。
【００２０】
第１のリターダスタック１１６は、光源１００と第１の偏光ビームスプリッタ１１８の間に位置する。第１のリターダスタック１１６は、青色光の偏光方向を変調するが、黄色光（赤色光と緑色光からなる）の偏光状態を変えないでおくようになっている。このタイプのリターダスタックは、青／黄リターダスタックとして知られている。
【００２１】
偏光した入力光が第１のリターダスタック１１６を通過するとき、青色光の偏光状態はＰ偏光に回転し、かつ光の赤色及び緑色成分は、Ｓ偏光方向のままとなる。よって、第１のリターダスタック１１６には、２つの矢印が示されている。Ｐ偏光を有する青色光を示す第１の矢印をＢ”で、かつ、黄色光（赤と緑）を示す第２の矢印をＹ°で示している。
【００２２】
図１に示した実施形態は４つのビームスプリッタ１１８，１２０，１２４，１２８を含む。各偏光ビームスプリッタは、４角を横切る斜め線を含む４角形の断面を有する。各偏光ビームスプリッタは、Ｐ偏光方向を有する光を屈折させずまっすぐ透過させるようになっている。また、偏光ビームスプリッタは、Ｓ方向を有する光を９０度に屈折するようになっている。光は、事実上は、斜めの線によって反射される。
【００２３】
第１のリターダスタック１１６を出た青色光は、Ｐ偏光を有するので第１の偏光ビームスプリッタ１１８をまっすぐに通過する。黄色光は、Ｓ偏光を有するので、第１の偏光ビームスプリッタ１１８によって上方に反射される。
【００２４】
青色光は、次に、Ｐ偏光を有するので、第２の偏光ビームスプリッタ１２０をまっすぐに通過し、第１の反射変調パネル１２２に突き当たる。反射変調パネル１２２は、制御信号に基づきある空間パタンに選択的に入射光の偏光方向を回転させるようになっている。好適な実施形態においては、反射変調パネルは、反射変調パネルから反射された光が入射したときと同じ方向であるＰ偏光、あるいはＳ偏光のどちらかで出ていくよう２通りに働くようになっている。Ｐ偏光で反射された光は、偏光方向が変わっていないため、変調されなかったということができる。Ｓ偏光で反射された光は、変調されたということができる。
【００２５】
変調されずに反射されたＰ偏光を有する青色光は、まっすぐに第２の偏光ビームスプリッタ１２０及び第１の偏光ビームスプリッタ１１８を通って、光源に戻る。変調されて反射されたＳ偏光を有する青色光は、第２の偏光ビームスプリッタ１２０によって、上方へ反射され、第４の偏光ビームスプリッタ１２４に向かう。変調されＳ偏光を有する青色光は第４の偏光ビームスプリッタに入射すると、図面では上方左側に位置する出力端に向かって反射される。
【００２６】
今度は、第１の偏光ビームスプリッタ１１８で上方に反射された黄色光に戻ると、黄色光は、第１の偏光ビームスプリッタ１１８から出て、第２のリターダスタック１２６を通過する。当実施形態では、第２のリターダスタック１２６は、緑／マゼンタリターダスタックであり、緑色光の偏光方向を回転させ、マゼンタ光（青色及び赤色を含む）の全ての光の偏光方向には影響しない。よって、黄色光が第２のリターダスタック１２６を通過すると、緑色成分は偏光方向が回転してＰ偏光を有するようになり、赤色成分は影響を受けない。
【００２７】
第２のリターダスタック１２６を出た赤色光は、第３の偏光ビームスプリッタ１２８へ入射し、Ｓ偏光を有するので、第２の反射変調パネル１３０に向けて反射される。第２の反射変調パネル１３０は、上記の第１の反射変調パネル１２２と同様の作用をする。変調されなかった分の赤色光は、変調パネルから入射時と同じ方向であるＳ偏光で反射される。変調された分の赤色光は、Ｐ偏光で反射される。
【００２８】
変調されなかった赤色光は、Ｓ偏光を有するままなので、第３の偏光ビームスプリッタ１２８で下方に反射される。ついで、変調されなかった赤色光は、第２のリターダスタック１２６へ偏光を変えずに戻り、第１の偏光ビームスプリッタ１１８に入る。変調されなかった赤色光は、第１の偏光ビームスプリッタ１１８で反射されて光源の方へ戻る。
【００２９】
第２の反射変調パネル１３０で反射された変調された赤色光は、Ｐ偏光を有するので、第３の偏光ビームスプリッタ１２８をまっすぐ通過し、第３のリターダスタック１３４へ入射する。当実施形態では、第３のリターダスタックも緑／マゼンタリターダスタックであり、よって、赤色光は第３のリターダスタック１３４を偏光方向を変えることなく通過する。変調された赤色光は、ついで、第４の偏光ビームスプリッタ１２４を通過し、システムの出力端へと進む。
【００３０】
第３の偏光ビームスプリッタ１２８へ入射したＰ偏光を有する緑色光は、第３の偏光ビームスプリッタ１２８を直進し、第３の反射変調パネル１３２に突き当たる。第３の反射変調パネル１３２は、第１の反射変調パネル１２２及び第２の反射変調パネル１３０と同様の作用をする。よって、変調されなかった緑色光は、入射時と同じ方向であるＰ偏光で反射される。変調された緑色光は、Ｓ偏光で反射される。
【００３１】
変調されなかったＰ偏光を有する緑色光は、第３の偏光ビームスプリッタ１２８をまっすぐに戻り、第２のリターダスタック１２６に入射する。第２のリターダスタックは、変調されなかった緑色光をＳ偏光に回転させ、第１の偏光ビームスプリッタ１１８に向け通過させる。今度はＳ偏光を有するようになった変調されなかった緑色光は、第１の偏光ビームスプリッタ１１８で反射され、光源へと戻る。
【００３２】
変調された緑色光は、Ｓ偏光を有し、第３のリターダスタック１３４に向けて第３の偏光ビームスプリッタ１２８で反射される。変調された緑色光は、第３のリターダスタック１３４を通過するので、Ｐ偏光に回転される。今度はＰ偏光を有するようになった変調された緑色光は、システムの出口端に向かって第４の偏光ビームスプリッタ１２４をまっすぐに通過する。
【００３３】
第４のリターダスタック１３６は、第４の偏光ビームスプリッタ１２４の出口側に位置する。当実施形態においては、第４のリターダスタックは、第１のリターダスタック１１６同様青／黄リターダスタックである。よって、リターダスタックは、青色光の偏光方向を回転するが、黄色光（赤色及び緑色）を偏光方向を変えずに透過させる。
【００３４】
第４の偏光ビームスプリッタ１２４を通過した変調された緑色光及び変調された赤色光は、偏光方向を変えることなく第４のリターダスタック１３６を通過する。変調された第４の偏光ビームスプリッタ１２４からの青色光は、第４のリターダスタック１３６を通過し、Ｐ偏光に回転される。よって、第４のリターダスタックでの光は、変調された青色、赤色、及び緑色の画像を含み、その全てが同じ偏光方向にある。この３色の変調画像は、その後、投影光学系１３８で集束させられる。
【００３５】
当実施形態においては、各々の反射変調パネルは、投影光学系１３８から実質的に等距離に位置する。よって、反射変調パネルによって生成される相異なる３色のカラー画像は、等量ずつ拡大されることになり、結果として、合成された画像は、鮮明で焦点があったものになる。
【００３６】
上記の当実施形態及び下記の実施形態においては、反射変調パネルは、反射光の偏光方向を変調できるものであればいかなる型の反射変調パネルであってもよい。これは、ネマチック液晶及び強誘電性液晶の反射変調システムを含んでもよい。強誘電性液晶ディスプレイは、切り替えが速くかつ２価であり、よって制御系を実行しやすいものにすることができる。他方、ネマチック液晶は、アナログ方式での制御が可能であるので、グレイスケール画像をより容易に生成することができる。
【００３７】
強誘電性液晶変調システムは好適であるが、これに関連する欠点が一つある。液晶に含まれる不純物のために、連続したデータのフレームにおいて、変調パネルの各画素にかかる電圧の極性を交替させることが望ましい。これは、ＤＣ平衡として知られる。ＤＣ平衡は、液晶内の不純物が一方の側又は逆側に移動してしまわないようにする。
【００３８】
ＤＣ平衡がなされると、連続したフレームにおいて、電圧極性は、強誘電液晶変調システムの各セルで逆転する。電圧極性の交替は、変調された光の偏光方向の変化となる。よって、画像データのフレームの反転は、１つおきの逆転として現れる。第１のフレームでの白い画素は、次のフレームでは、黒い画素となり、その逆も真となる。
【００３９】
ＤＣ平衡によっておきる問題をなくす一つの方法として、単純に一つおきに画像データのフレームを阻止する方法がある。しかしながら、この方法は、システムで生成する光の半分を失うことになり、大変好ましくない。
【００４０】
よりよい方法として、該明細書の内容をここに援用する、米国特許仮出願番号−−−で開示されている「光ダブラー」を使用するものがある。光ダブラーは、強誘電液晶ディスプレイパネルに近接して配置してもよく、電圧を印加したときには、画像のフレームを逆転させるように働く。よって、光ダブラーは、強誘電液晶によって生成される逆画像を正常な画像に戻す変換をするよう１つおきの画像データのフレームごとに電圧を印加される。光ダブラーを使用することで、強誘電液晶変調システムのＤＣ平衡による逆フレームを空白にする必要がなくなり、システムからの出力光が倍増する。
【００４１】
本発明の第２の実施形態を図２に示す。この第２の実施形態は図１に示す第１の実施形態に類似するが、光ダブラー部品を組み込んでいる点で異なる。第１の光ダブラー１２１は、第２の偏光ビームスプリッタ１２０と第１の反射変調パネル１２２の間に位置する。同様に、第２の光ダブラー１２９及び第３の光ダブラー１３１は、それぞれ、第３の偏光ビームスプリッタ１２８と第２の反射変調パネル１３０及び第３の反射変調パネル１３２の間に位置する。
【００４２】
上記のように、反射変調パネルがＤＣ平衡の必要な強誘電液晶システムである場合、光ダブラーで変調された画像データの逆フレームを通常の画像データに変換し返すことができる。光ダブラーを使用することで、１つおきに画像データのフレームを空白にする必要がなくなる。
【００４３】
第３の実施形態を図３に示す。この第３の実施形態は、偏光ビームスプリッタ１１８を１個と２色性ビームスプリッタ１２５を１個を光を３スペクトルに分離するために利用する。
【００４４】
光源１００からの光をコリメータレンズ１１２で平行にする。平行になった光を第１の偏光子１１４で偏光させる。偏光した光は、その後すべての光が確かに同じ偏光を有するようにするクリーンアップ偏光子１１５を通過する。この実施形態ではＳ偏光を有するようになっている偏光した光は、第１のリターダスタック１１６に入射する。
【００４５】
図３に示す実施形態において、第１のリターダスタックは、緑／マゼンタリターダスタックである。よって、第１のリターダスタックは、緑色光の偏光をＰ方向に回転し、マゼンタ色光（赤色及び青色）をＳ偏光のままで通過させる。
【００４６】
偏光ビームスプリッタ１１８は、Ｐ方向を有する光を反射せずに通し、かつ、Ｓ方向を有する光を斜めの線によって反射するようになっている。よって、第１のリターダスタックを出た緑色光は、Ｐ方向を有するため、まっすぐに偏光ビームスプリッタ１１８を通過し、ガラススペーサーブロック１１９に入射する。緑色光は、ガラススペーサーブロック１１９を通過し、第１の反射変調パネル１２３に突き当たる。
【００４７】
第１の反射変調パネル１２３は、ある空間パタンで反射光の偏光方向を選択的に変調するようになっている。変調されなかった反射された緑色光は、第１の反射変調パネルを入射したときと同じ方向であるＰ方向で出る。変調された反射された緑色光は、第１の反射変調パネルをＳ偏光方向で出る。
【００４８】
変調されなかった緑色光は、Ｐ方向を有するので、ガラススペーサーブロック１１９を戻って、偏光ビームスプリッタ１１８をまっすぐに戻る。変調されなかった緑色光は、第１のリターダスタック１１６を通過して、光源１００へ戻る。
【００４９】
変調された緑色光もガラススペーサーブロック１１９を通過して戻る。しかしながら、Ｓ方向を有するので、システムの出力端側へと反射される。
【００５０】
マゼンタ色光は、第１のリターダスタック１１６を出ると、Ｓ方向を有するので、２色性ビームスプリッタ１２５に向かって反射される。２色性ビームスプリッタ１２５は、青の波長を有する光を反射せずに透過し、赤の波長を有する光を斜め線で反射するようになっている。理想的には、光の偏光方向は、２色性ビームスプリッタ１２５の透過特性や反射特性には影響しない。
【００５１】
偏光ビームスプリッタ１１８を通過してきたマゼンタ色光に含まれる青色光は、２色性ビームスプリッタ１２５をまっすぐに通過し、第２の反射変調パネル１２７に突き当たる。２色性ビームスプリッタ１２５に入射したマゼンタ色光に含まれる赤色光は、第３の反射変調パネル１３３へ反射される。
【００５２】
第２の反射変調パネル１２７は、変調された分の青色光をＰ偏光方向で反射し、変調されなかった分の青色光をＳ方向で反射する。変調された分と変調されなかった分の青色光は、共に２色性ビームスプリッタ１２５をまっすぐに通過して戻り、偏光ビームスプリッタ１１８に入射する。変調されなかった分の青色光は、Ｓ偏光を有するので、第１のリターダスタック１１６へ反射されて、光源１００へ戻る。変調された分の青色光は、Ｐ方向を有するので、偏光ビームスプリッタ１１８をまっすぐに通過する。
【００５３】
第３の反射変調パネル１３３は、変調された分の赤色光をＰ方向で、変調されなかった分の赤色光をＳ方向で反射する。変調された分と変調されなかった分の赤色光は、共に２色性ビームスプリッタ１２５で反射され、偏光ビームスプリッタ１１８へ戻る。変調されなかった分は、Ｓ方向を有するので、偏光ビームスプリッタ１１８で反射され、第１のリターダスタック１１６を通過して、光源１００へ戻る。変調された分の赤色光は、Ｐ方向を有するので、偏光ビームスプリッタ１１８をまっすぐに通過する。
【００５４】
偏光ビームスプリッタ１１８の下側での光は、Ｐ方向を有する赤色及び青色の分、及びＳ方向を有する緑色の分を含む。光は、次に全ての色付きの光を同じ偏光方向に変換するようになっている第２のリターダスタック１３６を通過する。図３に示す実施形態では、第２のリターダスタック１３６は、第１のリターダスタック１１６同様、緑／マゼンタリターダスタックである。よって、緑色光は、Ｐ方向に回転されることになり、マゼンタ色光（青色及び赤色）は、偏光方向を変えることなく通過する。第２のリターダスタックを出た光は、投影光学系１３８を通過する。
【００５５】
図３に示す実施形態においては、上述の実施形態同様、各変調パネルと投影光学系１３８とが実質的に等距離である。よって、投影光学系１３８による各々のカラー画像の拡大率が等しくなる。
【００５６】
図３に示す実施形態において第１の変調パネルは、ガラススペーサーブロック１１９で偏光ビームスプリッタ１１８から離してある。ガラススペーサーブロック１１９は、第１の反射変調パネル１２３と投影光学系１３８との距離が第２及び第３の反射変調パネル１２７及び１３３と投影光学系１３８との距離と等しくなっているようにしておくために用いられている。この実施形態では、ガラスブロックが用いられているが、他の実施形態として、空気を含めていかなるタイプのスペーサーを用いてもよい。ガラスは、偏光方向又は光の伝搬方向に影響を与えず、かつ、システム内の他部品の材料と近似した屈折率を有するので、好適な材料である。さらに、固体のスペーサーを用いることで、全てのシステム内の部品が相互に正確に固定でき、位置あわせの保持とシステムの保全性が向上できる。
【００５７】
上記のように、強誘電液晶が反射変調パネルに使用される場合、光ダブラーシステムを用いることが望ましい。図４及び図５は、光ダブラーを利用する本発明の第４及び第５の実施形態を示す。
【００５８】
図４に示す実施形態においては、第１の光ダブラー１２１は、偏光ビームスプリッタ１１８とガラススペーサーブロック１１９の間に位置する。第１の光ダブラー１２１は、第１の反射変調パネル１２３からの一つおきの逆画像フレームを正常な画像に変換しかえす。第２の光ダブラー１２９は、偏光ビームスプリッタ１１８と２色性ビームスプリッタ１２５の間に位置する。第２の光ダブラー１２９は、第２及び第３の反射変調パネル１２７、１３３からの一つおきの逆画像フレームを正常な画像に変換しかえす。
【００５９】
２色性ビームスプリッタ１２５での青及び赤の分の反射方向は、光の偏光方向に影響されないので、第２の光ダブラー１２９を偏光ビームスプリッタ１１８と２色性ビームスプリッタ１２５のあいだに置くことができる。これは、また、１個の光ダブラーで、第２及び第３の反射変調パネル１２７及び１３３からの光を共に処理できるようにする。しかし、他の実施形態においては、第２の光ダブラー１２９をそれぞれ第２及び第３の反射変調パネル１２７及び１３３に近接して位置する２個の光ダブラーで置き換えてもよい。
【００６０】
図５に示す第５の実施形態においては、第１の光ダブラー１２１は、ガラススペーサーブロック１１９と第１の反射変調パネル１２３との間の位置に移動してある。
【００６１】
図４及び図５に示した他の実施形態において、各々の反射変調パネルと投影光学系との距離が等しく保たれているので、鮮明で焦点が合った状態が保たれる。
【００６２】
上記の実施形態において、光源１００は、偏光していない白色光を供給する。他の実施形態においては、偏光した光を供給するような光源とおきかえてもよい。このような他の実施形態では、偏光システムは不要となる。
【００６３】
また、上記の各実施形態において、偏光子が偏光されていない光を偏光するために使用されている。他の実施形態においては、クリーンアップ偏光子を有する又は有しない偏光変換システムを偏光システムの代わりに用いてもよい。そのようなシステムは、１９９８年１０月２日に出願された米国特許出願第０９／１６５，１２７号に開示され、ここに内容が組み込まれている。例えば、図３に示す実施形態においては、番号１１４で示す部品は、偏光変換システムであってもよく、１１５で示す部品は、クリーンアップ偏光子であってもよい。
【００６４】
いずれの実施形態における光源も、光を出力するシステムであれば、フィラメントを利用する電球、ハロゲンライト、レーザー、発光ダイオード、蛍光灯、ガス充填放電管、エレクトロルミネッセンス材料、及び米国特許番号５，４０４，０７６に開示されるマイクロ波を励起源として利用する光源など、いかなるタイプの光源システムであってもよい。
【００６５】
また、上記の実施形態においては、白色光は、３原色に分離され、３原色が別々に変調され、変調された光が再合成されて合成したカラー画像を生成する。本発明の別の実施形態においては、２色だけ又は３色よりも多くの色に分離して変調してもよい。さらに、各色は原色でなくてもよい。本発明の実施形態は、連続した又は不連続なスペクトルに光を分離し、分離した光を変調して再合成するいかなる組み合わせにも用いられうる。さらに、本発明の実施形態は、部分的又は完全に可視領域以外の光に適用できる。
【００６６】
上記の実施形態においては、投影光学系に入射する前に全ての分の光が確かに同じ偏光方向を有するよう、リターダスタックが出力端に位置している。これが本発明者は最も効果が上がると考えている。しかしながら、本発明の別の実施形態においては、出力リターダスタックを含まなくてもよい。
【００６７】
上記の各実施形態においては、システムで反射変調パネルを利用している。本発明の別の実施形態においては、透過型変調パネルを反射変調パネルの代わりに利用してもよい。
【００６８】
従来システムにおいては、生成する画像の色のにじみをおこしかねない各原色の間にあたる波長の光を阻止するため、ノッチフィルタが加えられている。これらのノッチフィルタで最大１５パーセントの輝度のロスが生じうる。
【００６９】
【発明の効果】
本発明実施例のシステムにおいては、入力リターダスタック、又は場合によっては２以上のリターダスタックが彩度を損なう波長の光を取り除くか反射することができるように設計されている。リターダスタックを使用することでノッチフィルタが不要になり、生産コストを低減することができる。さらに、光が光源に反射して戻ることで、いくらか明るさを保持することができるようになり、よって、全体としての効率とシステムの明るさが向上する。
【００７０】
前述の実施形態は、説明であって本発明を限定するものではない。当記述は他のタイプのシステムにも容易に適用しうる。本発明の記述は詳細なものであるが、特許請求の範囲を限定するものではない。多様な置き換え、変更、及び変形が当業者には容易である。請求項でのミーンズプラスファンクション節は、列挙された機能を果たせ、構造的な均等物であるだけでなく均等な構造でもあるようにここで記述された構造を包含するためのものである。たとえば、反射変調パネルと透過変調パネルとは、透過変調パネルは光を透過させ、反射変調パネルは光を反射するため構造的に均等ではないが、光を変調するという機能においては、透過変調パネルと反射変調パネルは均等な構造ということができる。
【図面の簡単な説明】
【図１】は、本発明の第１の実施形態図であり、
【図２】は、本発明の第２の実施形態図であり、
【図３】は、本発明の第３の実施形態図であり、
【図４】は、本発明の第４の実施形態図であり、かつ、
【図５】は、本発明の第５の実施形態図である。
【符号の説明】
１００        光源
１１０        白色光
１１２        コリメータレンズ
１１４        偏光子
１１５        クリーンアップ偏光子
１１６        第１のリターダスタック
１１８        第１の偏光ビームスプリッタ
１１９        ガラススペーサーブロック
１２０        第２の偏光ビームスプリッタ
１２１        第３の光ダブラー
１２２        第１の反射変調パネル
１２３        第１の反射変調パネル
１２４        第４の偏光ビームスプリッタ
１２５        ２色性ビームスプリッタ
１２６        第２のリターダスタック
１２７        第２の反射変調パネル
１２８        第３の偏光ビームスプリッタ
１２９        第２の光ダブラー
１３０        第２の反射変調パネル
１３１        第３の光ダブラー
１３２        第３の反射変調パネル
１３３        第３の反射変調パネル
１３４        第３のリターダスタック
１３６        第４のリターダスタック
１３８        投影光学系
【図１】
0003611787.tif 000002
【図２】
0003611787.tif 000003
【図３】
0003611787.tif 000004
【図４】
0003611787.tif 000005
【図５】
0003611787.tif 000006